(57)【要約】      （修正有）【課題】ユーザの使用傾向に合った適切な音量値に容易に調整可能な音量調整機能を有する電子機器を提供する。【解決手段】ＴＶ１００（音量調整機能を有する電子機器）は、ユーザにより設定された音量値の設定履歴情報を記憶する記憶部５と、設定履歴情報に基づいて、設定の頻度が他の音量値よりも大きい最多音量値とその最多音量値に隣接する隣接音量値との調整幅を、隣接する他の音量値同士の調整幅よりも小さくする制御を行う制御部６とを備える。【選択図】図１
2014140124.tif 000002
【特許請求の範囲】
【請求項１】
ユーザにより設定された音量値の設定履歴情報を記憶する記憶部と、
前記設定履歴情報に基づいて、設定の頻度が他の音量値よりも大きい音量値とその音量値に隣接する音量値との調整幅を、隣接する前記他の音量値同士の調整幅よりも小さくする制御を行う制御部とを備える、音量調整機能を有する電子機器。
【請求項２】
前記制御部は、設定の頻度としての設定回数が所定の閾値よりも大きい第１音量値と、前記第１音量値の前後の音量値のうちの設定回数が大きい方の音量値である第２音量値との間の調整幅を複数に分割することにより調整幅を小さくするように変更する制御を行うように構成されている、請求項１に記載の音量調整機能を有する電子機器。
【請求項３】
前記第１音量値は、設定の頻度としての設定回数が最大である音量値であることを特徴とする、請求項２に記載の音量調整機能を有する電子機器。
【請求項４】
前記制御部は、前記所定の閾値よりも大きい第１音量値が複数箇所ある場合に、複数箇所において、前記第１音量値と、前記第１音量値の前後の音量値のうちの設定回数が大きい方の音量値との間の調整幅を複数に分割することにより調整幅を小さくするように変更する制御を行うように構成されている、請求項２または３に記載の音量調整機能を有する電子機器。
【請求項５】
前記制御部は、設定の頻度としての設定回数が所定の閾値よりも大きい設定回数を有する隣接する音量値間の調整幅を複数に分割することにより調整幅を小さくするように変更する制御を行うように構成されている、請求項１に記載の音量調整機能を有する電子機器。
【請求項６】
前記制御部は、複数箇所において、隣接する音量値間の調整幅を複数に分割することにより調整幅を小さくするように変更する制御を行うように構成されている、請求項５に記載の音量調整機能を有する電子機器。
【請求項７】
前記制御部は、変更された音量値間の調整幅が所定期間使用されなかった場合には、前記変更された音量値間の調整幅を初期状態に戻す制御を行うように構成されている、請求項１〜６のいずれか１項に記載の音量調整機能を有する電子機器。
【請求項８】
前記音量値は、初期状態で等間隔に隔てて複数設定されている、請求項１〜７のいずれか１項に記載の音量調整機能を有する電子機器。
【請求項９】
前記制御部は、記憶された前記設定履歴情報が所定期間経過したことまたは記憶された前記設定履歴情報が所定の累積数を超過したことに基づいて、音量値の設定履歴が記憶されてから経過時間が長いものから順に前記設定履歴情報を削除し、削除後の設定履歴情報に基づいて音量値の調整幅を複数に分割することにより調整幅を小さくするように制御を行うように構成されている、請求項１〜８のいずれか１項に記載の音量調整機能を有する電子機器。
【請求項１０】
前記制御部は、電源オフ状態にされた後、再度、電源オン状態にされる際に、前記第１音量値に設定された状態で電源オン状態にする制御を行うように構成されている、請求項３に記載の音量調整機能を有する電子機器。
【請求項１１】
ユーザにより設定された音量値の設定履歴情報を記憶するステップと、
前記設定履歴情報に基づいて、設定の頻度が前記他の音量値よりも大きい音量値とその音量値に隣接する音量値との調整幅を、隣接する前記他の音量値同士の調整幅よりも小さくするステップとを備える、音量調整機能を有する電子機器の音量調整方法。
【発明の詳細な説明】
【技術分野】
【０００１】
この発明は、音量調整機能を有する電子機器および音量調整機能を有する電子機器の音量調整方法に関し、特に、音量値の調整幅を変更することが可能な音量調整機能を有する電子機器および音量調整機能を有する電子機器の音量調整方法に関する。
【背景技術】
【０００２】
従来、音量値の調整幅を変更することが可能な音量調整機能を有する電子機器が知られている（たとえば、特許文献１参照）。
【０００３】
上記特許文献１には、電源がオンされた後、ユーザにより最初に設定された音量値に基づいて、音量ステップ（音量値の調整幅）の変更を行う音量調整部（制御部）を備える音声出力装置（音量調整機能を有する電子機器）が開示されている。この音量調整部は、ユーザにより最初に設定された音量値の近傍の音量値については音量ステップを密に（小さく）するように変更するとともに、ユーザにより最初に設定された音量値から大きく離れた音量値については音量ステップを疎に（大きく）するように変更する制御を行うように構成されている。これにより、ユーザは、最初に設定された音量値の近傍の音量値を微調整することが可能である。
【先行技術文献】
【特許文献】
【０００４】
【特許文献１】特開２００８−２１１３９８号公報
【発明の概要】
【発明が解決しようとする課題】
【０００５】
しかしながら、上記特許文献１の音声出力装置では、最初に設定された音量値が、ユーザが普段設定する頻度の高い音量値とは異なる音量値である場合には、ユーザは、設定する頻度の高い音量値で微調整することができないので、この場合には、ユーザは普段の使用傾向に合った適切な音量値に調整することが困難であるという問題点がある。
【０００６】
この発明は、上記のような課題を解決するためになされたものであり、この発明の１つの目的は、ユーザの使用傾向に合った適切な音量値に容易に調整可能な音量調整機能を有する電子機器および音量調整機能を有する電子機器の音量調整方法を提供することである。
【課題を解決するための手段】
【０００７】
この発明の第１の局面による音量調整機能を有する電子機器は、ユーザにより設定された音量値の設定履歴情報を記憶する記憶部と、設定履歴情報に基づいて、設定の頻度が他の音量値よりも大きい音量値とその音量値に隣接する音量値との調整幅を、隣接する他の音量値同士の調整幅よりも小さくする制御を行う制御部とを備える。
【０００８】
この発明の第１の局面による音量調整機能を有する電子機器では、上記のように、ユーザにより設定された音量値の設定履歴情報に基づいて、設定の頻度が他の音量値よりも大きい音量値の調整幅とその音量値に隣接する音量値との調整幅を、隣接する他の音量値同士の調整幅よりも小さくする制御を行う制御部を設けることによって、ユーザの普段の使用傾向が反映された音量値の設定履歴情報に基づいて、ユーザの設定頻度が大きい音量値とその音量値に隣接する音量値との調整幅が微調整可能になるので、ユーザは、使用傾向に合った適切な音量値に容易に調整することができる。また、設定の頻度が他の音量値よりも大きい音量値とその音量値に隣接する音量値との調整幅だけを小さくすることができるので、上記他の音量値においては、変化割合が小さくなることによる操作回数の増加に起因する操作性の低下を抑制しながら、ユーザの設定頻度が大きい音量値の近傍の音量を容易に微調整することができる。
【０００９】
上記第１の局面による音量調整機能を有する電子機器において、好ましくは、制御部は、設定の頻度としての設定回数が所定の閾値よりも大きい第１音量値と、第１音量値の前後の音量値のうちの設定回数が大きい方の音量値である第２音量値との間の調整幅を複数に分割することにより調整幅を小さくするように変更する制御を行うように構成されている。このように構成すれば、ユーザの設定頻度が所定の閾値より大きい第１音量値と第２音量値との間の調整幅を小さくして、ユーザの設定頻度が高い音量値の近傍の音量値をより容易に微調整可能にすることができる。これにより、ユーザは、普段の使用傾向に合った適切な音量値により容易に調整することができる。
【００１０】
この場合、好ましくは、制御部は、第１音量値は、設定の頻度としての設定回数が最大である音量値であることを特徴とする。このように構成すれば、ユーザの設定頻度が最大である音量値とユーザの設定頻度が最大である音量値の前後の音量値のうちの設定回数が大きい方の音量値との間の調整幅を小さくして、ユーザの設定頻度が、最も高い音量値の近傍の音量値をより容易に微調整可能にすることができる。
【００１１】
上記第１音量値は設定の頻度としての設定回数が最大である音量値である構成において、好ましくは、制御部は、所定の閾値よりも大きい第１音量値が複数箇所ある場合に、複数箇所において、第１音量値と、第１音量値の前後の音量値のうちの設定回数が大きい方の音量値との間の調整幅を複数に分割することにより調整幅を小さくするように変更する制御を行うように構成されている。このように構成すれば、所定の閾値よりも大きい第１音量値が複数存在する場合でも、ユーザの設定頻度が高い複数の音量値の近傍において隣接する音量値間の調整幅を小さくすることができる。
【００１２】
上記第１の局面による音量調整機能を有する電子機器において、好ましくは、制御部は、設定の頻度としての設定回数が所定の閾値よりも大きい設定回数を有する隣接する音量値間の調整幅を複数に分割することにより調整幅を小さくするように変更する制御を行うように構成されている。このように構成すれば、設定の頻度としての所定の閾値に基づいて、ユーザの設定頻度が高い音量値の近傍において隣接する音量値間の調整幅を小さくして、ユーザの設定頻度が高い音量値の近傍の音量値をより容易に微調整可能にすることができる。
【００１３】
この場合、好ましくは、制御部は、複数箇所において、隣接する音量値間の調整幅を複数に分割することにより調整幅を小さくするように変更する制御を行うように構成されている。このように構成すれば、ユーザの設定頻度が高い音量値が複数存在する場合でも、ユーザの設定頻度が高い複数の音量値の近傍において隣接する音量値間の調整幅を小さくすることができる。
【００１４】
上記第１の局面による音量調整機能を有する電子機器において、好ましくは、制御部は、変更された音量値間の調整幅が所定期間使用されなかった場合には、変更された音量値間の調整幅を初期状態に戻す制御を行うように構成されている。このように構成すれば、ユーザの使用傾向などが変更されることによって変更された音量値間の調整幅が所定期間使用されなかった場合には、小さくされた音量値の調整幅が初期状態に戻されるので、現状の使用傾向において設定頻度が小さくなった音量値の調整幅が小さいまま維持されるのを防止することができる。
【００１５】
上記第１の局面による音量調整機能を有する電子機器において、好ましくは、音量値は、初期状態で等間隔に隔てて複数設定されている。このように構成すれば、他の音量値の調整幅を初期状態に維持しながら、設定の頻度が他の音量値よりも大きい音量値とその音量値に隣接する音量値との間の調整幅だけを小さくすることができる。
【００１６】
上記第１の局面による音量調整機能を有する電子機器において、好ましくは、制御部は、記憶された設定履歴情報が所定期間経過したことまたは記憶された設定履歴情報が所定の累積数を超過したことに基づいて、音量値の設定履歴が記憶されてから経過時間が長いものから順に設定履歴情報を削除し、削除後の設定履歴情報に基づいて音量値の調整幅を複数に分割することにより調整幅を小さくするように制御を行うように構成されている。このように構成すれば、直近の設定履歴情報に基づいてユーザの設定頻度が高い音量値の調整幅を小さくすることができるので、現状の使用傾向により適した状態でユーザの設定頻度が高い音量値の近傍の音量値をより容易に微調整可能にすることができる。
【００１７】
上記第１音量値は設定の頻度としての設定回数が最大である音量値である構成において、好ましくは、制御部は、電源オフ状態にされた後、再度、電源オン状態にされる際に、第１音量値に設定された状態で電源オン状態にする制御を行うように構成されている。このように構成すれば、電源オン状態にされる際に、ユーザが最も使用する可能性が高い第１音量値に自動的に設定されるので、電源をオンにした後、ユーザにより音量値を調整する必要性を低減させることができる。
【００１８】
この発明の第２の局面による音量調整機能を有する電子機器の音量調整方法は、ユーザにより設定された音量値の設定履歴情報を記憶するステップと、設定履歴情報に基づいて、設定の頻度が他の音量値よりも大きい音量値とその音量値に隣接する音量値との調整幅を、隣接する他の音量値同士の調整幅よりも小さくするステップとを備える。
【００１９】
この発明の第２の局面による音量調整機能を有する電子機器の音量調整方法では、上記のように、ユーザにより設定された音量値の設定履歴情報に基づいて、設定の頻度が他の音量値よりも大きい音量値とその音量値に隣接する音量値との調整幅を、隣接する他の音量値同士の調整幅よりも小さくするステップを設けることによって、ユーザの普段の使用傾向が反映された音量値の設定履歴情報に基づいて、ユーザの設定頻度が大きい音量値とその音量値に隣接する音量値との調整幅が微調整可能になるので、ユーザは、使用傾向に合った適切な音量値に容易に調整することができる。また、設定の頻度が他の音量値よりも大きい音量値とその音量値に隣接する音量値との調整幅だけを小さくすることができるので、上記他の音量値においては、変化割合が小さくなることによる操作回数の増加に起因する操作性の低下を抑制しながら、ユーザの設定頻度が大きい音量値の近傍の音量を容易に微調整することができる。
【発明の効果】
【００２０】
本発明によれば、上記のように、ユーザの使用傾向に合った適切な音量値に容易に調整することができる。
【図面の簡単な説明】
【００２１】
【図１】本発明の第１実施形態によるＴＶの構成を示したブロック図である。
【図２】本発明の第１実施形態によるＴＶの設定履歴情報を示した図である。
【図３】本発明の第１実施形態によるＴＶの音量値の調整幅を小さくした状態を示した図である。
【図４】本発明の第１実施形態によるＴＶの音量値の設定処理を説明するためのフローチャートである。
【図５】本発明の第１実施形態によるＴＶの調整幅決定処理を説明するためのフローチャートである。
【図６】本発明の第２実施形態によるＴＶの設定履歴情報を示した図である。
【図７】本発明の第２実施形態によるＴＶの調整幅決定処理を説明するためのフローチャートである。
【図８】本発明の第１実施形態の変形例によるＴＶの設定履歴情報を示した図である。
【図９】本発明の第２実施形態の変形例によるＴＶの音量値を小さくした状態を示した図である。
【発明を実施するための形態】
【００２２】
（第１実施形態）
以下、図１〜図３を参照して、本発明の第１実施形態によるＴＶ（テレビジョン）１００の構成について説明する。なお、ＴＶ１００は、本発明の「音量調整機能を有する電子機器」の一例である。
【００２３】
本発明の第１実施形態によるＴＶ１００は、図１に示すように、受信部１と、表示部２と、リモコンセンサ３と、アンプ４と、記憶部５と、制御部６とを備えている。受信部１は、放送波から所望の放送局の信号波を選局して受信するように構成されている。表示部２は、受信部１により受信されたテレビジョン放送の映像を表示可能に構成されている。
【００２４】
リモコンセンサ３は、リモコン（図示せず）からの信号を受信可能に構成されている。また、ＴＶ１００は、ユーザがリモコンを操作することにより所望の音量値に設定可能に構成されている。また、図２に示すように、音量値は、初期状態で等間隔に隔てて複数設定されている。すなわち、初期状態において、隣接する音量値間における音量の変化率（差）は、音量値に関わらず一定である。
【００２５】
アンプ４は、ユーザにより設定された所定の音量値に応じた音量でテレビジョン放送の音声を増幅して出力するように構成されている。
【００２６】
ここで、第１実施形態では、記憶部５は、図２に示すように、ユーザにより設定された音量値の設定履歴情報１１０を記憶するように構成されている。設定履歴情報１１０には、音量値と、その音量値が設定された設定回数とが含まれている。たとえば、図２に示す例では、ユーザにより音量値２０に設定された回数が１２回であることを示している。また、設定履歴情報１１０には、図３に示すように、音量値が設定された日時に関する情報が含まれている。たとえば、音量値２０が３回目に設定された日時は、２０１２年６月１日２３時１５分である。なお、設定回数は、本発明の「設定の頻度」の一例である。
【００２７】
制御部６は、音量値が切り替えられるとともに、切り替え後、所定時間（たとえば、１分間）音量値の切り替えが行われない場合には、その音量値の設定回数を１増加させる制御を行うように構成されている。また、制御部６は、ＴＶ１００の電源が投入されてから、音量値が切り替えられなかった場合には、電源投入時の音量値の設定回数を１増加させる制御を行うように構成されている。
【００２８】
制御部６は、設定履歴情報１１０に基づいて、設定回数が他の音量値よりも大きい音量値とその音量値に隣接する音量値との調整幅を、隣接する他の音量値同士の調整幅よりも小さくする制御を行うように構成されている。また、制御部６は、設定履歴情報１１０に基づいて、設定の回数が他の音量値よりも大きい音量値の調整幅を他の音量値の調整幅よりも小さくする制御を行うように構成されている。また、制御部６は、設定履歴情報１１０に基づいて、設定の回数が他の音量値よりも大きい音量値とその音量値に初期状態において隣接する音量値との間の調整幅を複数に分割することにより調整幅を小さくするように変更する制御を行うように構成されている。
【００２９】
具体的には、制御部６は、設定の頻度としての設定回数が所定の閾値（たとえば、８回）よりも大きい第１音量値と、第１音量値の前後の音量値のうちの設定回数が大きい方の音量値である第２音量値との間の調整幅を複数に分割することにより調整幅を小さくするように変更する制御を行うように構成されている。詳細には、制御部６は、第１音量値のうちの最大値である最多音量値と、第１音量値のうちの最大値（最多音量値）の前後の音量値である音量値のうちの設定回数が大きい方の音量値である隣接音量値との間の調整幅を複数に分割することにより調整幅を小さくするように変更する制御を行うように構成されている。なお、最多音量値は、本発明の「第１音量値」の一例である。また、隣接音量値は、本発明の「第２音量値」の一例である。
【００３０】
また、制御部６は、図２に示す例では、設定の回数が所定の閾値よりも大きく、かつ、最大である音量値２０を最多音量値として決定し、最多音量値の前後の音量値のうちの設定回数が大きい方の音量値である音量値２１を隣接音量値として決定する。そして、制御部６は、図３に示すように、最多音量値と隣接音量値との間の調整幅を４つに等分割することにより調整幅を小さくするように変更する制御を行うように構成されている。すなわち、制御部６は、音量値２０および音量値２１の間に、音量値２０．２５、音量値２０．５および音量値２０．７５を新たに設定する制御を行うように構成されている。
【００３１】
また、制御部６は、音量値２０および音量値２１の間に新たに設けられた音量値に音量が設定された場合には、設定履歴情報１１０として記憶される音量値は、小数第１位を四捨五入した音量値の設定回数として記憶するように構成されている。たとえば、音量値２０．２５に音量値が設定された場合には、音量値２０の設定回数を１増加させる制御を行うように構成されている。また、音量値２０．５または音量値２０．７５に音量値が設定された場合には、音量値２１の設定回数を１増加させる制御を行うように構成されている。
【００３２】
また、制御部６は、変更された音量値間の調整幅が所定期間（たとえば、１か月）使用されなかった場合には、変更された音量値間の調整幅を初期状態に戻す制御を行うように構成されている。すなわち、制御部６は、音量値２０、音量値２０．２５、音量値２０．５、音量値２０．７５および音量値２１のいずれもが、所定期間使用されなかった場合には、音量値２０（最多音量値）および音量値２１（隣接音量値）の間に設定された音量値２０．２５、音量値２０．５および音量値２０．７５を削除して音量値２０と音量値２１との間の調整幅を初期状態に戻す制御を行うように構成されている。
【００３３】
また、制御部６は、記憶された設定履歴情報１１０が所定期間（たとえば、６か月）経過したことに基づいて、音量値の設定履歴が記憶されてから経過時間が長いものから順に設定履歴情報を削除し、削除後の設定履歴情報１１０に基づいて音量値の調整幅を変更する制御を行うように構成されている。たとえば、制御部６は、音量値２０に３回目に設定された設定履歴情報１１０（図２参照）は、設定された２０１２年６月１日２３時１５分から所定期間経過後の２０１２年１２月１日２３時１５分に削除する制御を行うように構成されている。
【００３４】
制御部６は、電源オフ状態にされた後、再度、電源オン状態にされる際に、音量値２０（最多音量値）に設定された状態で電源オン状態にする制御を行うように構成されている。制御部６は、電源オフ状態にされた後、再度、電源オン状態にされる際に、音量値２０と、音量値２１との間の調整幅を、音量値２０．２５、音量値２０．５および音量値２０．７５にする制御を行うように構成されている。
【００３５】
次に、図４を参照して、第１実施形態によるＴＶ１００の制御部６により実行される音量値の設定処理フローについて説明する。
【００３６】
まず、ステップＳ１において、ＴＶ１００の電源がオンされたか否かが判断される。ＴＶ１００の電源がオンされたと判断されるまでこの判断が繰り返され、ＴＶ１００の電源がオンされたと判断されると、ステップＳ２に進む。
【００３７】
ステップＳ２において、前回終了時に決定された音量値に設定される。次に、ステップＳ３において、前回終了時に決定された音量幅に設定される。
【００３８】
次に、ステップＳ４において、音量値が切り替えられたか否かが判断される。音量値が切り替えられたと判断された場合には、ステップＳ６に進む。一方、音量値が切り替えられていない場合には、ステップＳ５に進む。
【００３９】
ステップＳ５において、電源がオフされたか否かが判断される。電源がオフされたと判断されない場合には、ステップＳ４に進む。一方、電源がオフされたと判断された場合には、ステップＳ８に進む。
【００４０】
ステップＳ６において、音量値が切り替えられてから所定時間（たとえば、１分）経過したか否かが判断される。音量値が切り替えられてから所定時間経過していない場合には、ステップＳ４に進む。一方、音量値が切り替えられてから所定時間経過した場合には、ステップＳ７に進む。
【００４１】
ステップＳ７において、電源がオフされたか否かが判断される。電源がオフされていない場合には、ステップＳ４に進む。一方、電源がオフされたと判断されたと判断された場合には、ステップＳ８に進む。
【００４２】
ステップＳ８において、ＴＶ１００の電源がオンされた後、音量値が切り替えられたか否かが判断される。電源がオンされた後、音量値が切り替えられたと判断された場合には、ステップＳ９に進み、切り替えられた音量値の設定回数が増加される。一方、電源がオンされた後、音量値が切り替えられていない場合には、ステップＳ１０に進み、ＴＶ１００の電源オン時の音量値の設定回数が１回増加される。
【００４３】
次に、ステップＳ１１において、図２に示すように、記憶されてから所定期間（たとえば、６か月）以上経過した音量値の設定履歴があるか否かが判断される。記憶部５に記憶されてから６か月以上経過した音量値の設定履歴があると判断されない場合には、ステップＳ１３に進む。一方、記憶部５に記憶されてから所定期間以上経過した音量値の設定履歴があると判断された場合には、ステップＳ１２に進む。ステップＳ１２において、記憶部５に記憶されてから所定期間以上経過した音量値の設定履歴が削除される。次に、ステップＳ１３において、音量値の調整幅が決定され、その後、音量値の設定処理を終了する。
【００４４】
次に、図５を参照して、図４の音量値の決定処理におけるステップＳ１３の調整幅決定処理について説明する。
【００４５】
まず、ステップＳ２１において、設定の回数が所定の閾値（たとえば、８回）よりも大きく、かつ、最大である音量値が最多音量値として決定される。たとえば、図２に示すように、設定の回数が所定の閾値（たとえば、８回）よりも大きく、かつ、設定回数が最多の音量値２０が最多音量値として決定される。
【００４６】
次に、ステップＳ２２において、設定の回数が所定の閾値よりも大きく、かつ、最大である音量値（最多音量値）の前後の音量値のうち設定回数が多い方の音量値が隣接音量値として決定される。たとえば、図２に示すように、設定回数が最多の音量値２０の前後の音量値１９および音量値２１のうち設定回数が多い方の音量値２１が隣接音量値として決定される。
【００４７】
次に、ステップＳ２３において、最多音量値と、隣接音量値との間の調整幅が小さくなるように変更される。たとえば、図３に示すように、設定回数が最多の音量値２０と音量値２１との間に、音量値２０．２５、音量値２０．５および音量値２０．７５が新たに設定される。その後、音量値の調整幅決定処理フローを終了する。
【００４８】
第１実施形態では、上記のように、ユーザにより設定された音量値の設定履歴情報１１０に基づいて、設定回数が他の音量値よりも大きい最多音量値（音量値２０）の調整幅と最多音量値に隣接する隣接音量値（音量値２１）との調整幅を、隣接する他の音量値同士の調整幅よりも小さくする制御を行う制御部６を設ける。これにより、ユーザの普段の使用傾向が反映された音量値の設定履歴情報１１０に基づいて、ユーザの設定頻度が大きい最多音量値（音量値２０）とその音量値に隣接する隣接音量値（音量値２１）との調整幅が微調整可能になるので、ユーザは、使用傾向に合った適切な音量値に容易に調整することができる。また、設定の頻度が他の音量値よりも大きい最多音量値と最多音量値に隣接する音量値との調整幅だけを小さくすることができるので、上記他の音量値においては、変化割合が小さくなることによる操作回数の増加に起因する操作性の低下を抑制しながら、ユーザの設定頻度が大きい音量値の近傍の音量を容易に微調整することができる。
【００４９】
第１実施形態では、上記のように、制御部６を、設定回数が所定の閾値よりも大きい最多音量値（音量値２０）と、音量値２０の前後の音量値のうちの設定回数が大きい方の隣接音量値（音量値２１）との間の調整幅を小さくする制御を行うように構成する。これにより、ユーザの設定頻度が最大である最多音量値と隣接音量値との間の調整幅を小さくして、ユーザの設定頻度が所定の閾値より大きい最多音量値の近傍の音量値をより容易に微調整可能にすることができる。これにより、ユーザは、普段の使用傾向に合った適切な音量値により容易に調整することができる。
【００５０】
第１実施形態では、上記のように、最多音量値は、第１音量値のうち設定の頻度としての設定回数が最大である音量値である。これにより、ユーザの最多音量値と最多音量値の前後の音量値のうちの設定回数が大きい方の隣接音量値との間の調整幅を小さくして、最多音量値の近傍の音量値をより容易に微調整可能にすることができる。
【００５１】
第１実施形態では、上記のように、制御部６を、変更された音量値間の調整幅が所定期間（たとえば、１か月）使用されなかった場合には、変更された音量値間の調整幅を初期状態に戻す制御を行うように構成する。これにより、ユーザの使用傾向などが変更されることによって変更された音量値間の調整幅が所定期間使用されなかった場合には、小さくされた音量値の調整幅が初期状態に戻されるので、現状の使用傾向では設定頻度が小さくなった音量値の調整幅が小さいまま維持されるのを防止することができる。
【００５２】
第１実施形態では、上記のように、音量値を初期状態で等間隔に隔てて複数設定する。これにより、他の音量値の調整幅を初期状態に維持しながら、最多音量値と隣接音量値との間の調整幅だけを小さくすることができる。
【００５３】
第１実施形態では、上記のように、制御部６を、記憶された設定履歴情報１１０が所定期間（たとえば、６か月）経過したことに基づいて、音量値の設定履歴が記憶されてから経過時間が長いものから順に設定履歴情報１１０を削除し、削除後の設定履歴情報１１０に基づいて音量値の調整幅を小さくする制御を行うように構成する。これにより、直近の設定履歴情報１１０に基づいてユーザの設定頻度が高い音量値の調整幅を小さくすることができるので、現状の使用傾向により適した状態でユーザの設定頻度が高い音量値の近傍の音量値をより容易に微調整可能にすることができる。
【００５４】
第１実施形態では、上記のように、電源オフ状態にされた後、再度、電源オン状態にされる際に、最多音量値（音量値２０）に設定された状態で電源オン状態にする制御を行うように制御部６を構成する。これにより、電源オン状態にされる際に、ユーザが最も使用する可能性が高い最多音量値に自動的に設定されるので、電源をオンにした後、ユーザにより音量値を調整する必要性を低減させることができる。
【００５５】
第１実施形態では、上記のように、ユーザにより設定された音量値の設定履歴情報１１０に基づいて、設定回数が他の音量値よりも大きい音量値の調整幅を他の音量値の調整幅よりも小さくするステップを設ける。これにより、ユーザの普段の使用傾向が反映された音量値の設定履歴情報１１０に基づいて、ユーザの設定頻度が大きい音量値が微調整可能になるので、ユーザは、普段の使用傾向に合った適切な音量値に容易に調整することができる。
【００５６】
（第２実施形態）
以下、本発明の第２実施形態によるＴＶ２００の構成について説明する。なお、ＴＶ２００は、本発明の「音量調整機能を有する電子機器」の一例である。
【００５７】
この第２実施形態では、設定の回数が最多の音量値とその音量値に隣接する音量値との間の調整幅を小さくする第１実施形態と異なり、所定の閾値よりも大きい設定回数を有する隣接する音量値間の調整幅を小さくするＴＶ２００について説明する。
【００５８】
第２実施形態によるＴＶ２００の制御部２６０は、設定回数が所定の閾値（たとえば、設定回数８回）よりも大きい設定回数を有する隣接する音量値間の調整幅を複数（たとえば、４つ）に分割することにより調整幅を小さくするように変更する制御を行うように構成されている。たとえば、制御部２６０は、図６に示す例では、設定履歴情報２１０に基づいて、音量値１３（設定回数１０回）および音量値１４（設定回数９回）を所定の閾値よりも大きい設定回数を有する隣接する音量値として決定する。また、制御部２６０は、音量値２０（設定回数１２回）および音量値２１（設定回数９回）を所定の閾値よりも大きい設定回数を有する隣接する音量値として決定する。そして、制御部２６０は、音量値１３および音量値１４の間と、音量値２０および音量値２１の間との調整幅を、それぞれ、４つに等分割する制御を行うように構成されている。すなわち、制御部２６０は、音量値１３および音量値１４の間に、音量値１３．２５、音量値１３．５および音量値１３．７５を新たに設定するとともに、音量値２０および音量値２１の間に、音量値２０．２５、音量値２０．５および音量値２０．７５を新たに設定する制御を行うように構成されている。
【００５９】
また、制御部２６０は、複数箇所において、隣接する音量値間の調整幅を複数に分割することにより調整幅を小さくするように変更する制御を行うように構成されている。たとえば、制御部２６０は、図６に示す例では、所定の閾値（たとえば、設定回数８回）よりも大きい設定回数を有する隣接する音量値１３および音量値１４間の調整幅、および、音量値２０および音量値２１間の調整幅を小さくするように変更する制御を行うように構成されている。すなわち、制御部２６０は、２箇所において、隣接する音量値間の調整幅を小さくするように変更する制御を行うように構成されている。
【００６０】
なお、第２実施形態のその他の構成は、上記第１実施形態と同様である。
【００６１】
次に、図７を参照して、図４の音量値の決定処理におけるステップＳ１３の調整幅決定処理について説明する。
【００６２】
まず、ステップＳ３１において、所定の閾値よりも大きい設定回数を有する隣接する音量値があるか否かが判断される。所定の閾値よりも大きい設定回数を有する隣接する音量値があると判断されなかった場合には、音量値の調整幅決定処理を終了する。一方、所定の閾値よりも大きい設定回数を有する隣接する音量値があると判断された場合には、ステップＳ３２に進む。
【００６３】
ステップＳ３２において、所定の閾値よりも大きい設定回数を有する音量値間の調整幅が小さくなるように変更される。その後、音量値の調整幅決定処理フローを終了する。
【００６４】
第２実施形態では、上記のように、ユーザにより設定された音量値の設定履歴情報２１０に基づいて、設定回数が他の音量値よりも大きい音量値の調整幅とその音量値に隣接する音量値との調整幅を、隣接する他の音量値同士の調整幅よりも小さくする制御を行う制御部２６０を設ける。これにより、ユーザの普段の使用傾向が反映された音量値の設定履歴情報２１０に基づいて、ユーザの設定頻度が大きい音量値とその音量値に隣接する音量値との調整幅が微調整可能になるので、ユーザは、使用傾向に合った適切な音量値に容易に調整することができる。また、設定の頻度が他の音量値よりも大きい音量値とその音量値に隣接する音量値との間の調整幅だけを小さくすることができるので、上記他の音量値においては、変化割合が小さくなることによる操作回数の増加に起因する操作性の低下を抑制しながら、ユーザの設定頻度が大きい音量値の近傍の音量を容易に微調整することができる。
【００６５】
第２実施形態では、上記のように、制御部２６０を、設定回数としての設定回数が所定の閾値（たとえば、設定回数８回）よりも大きい設定回数を有する隣接する音量値間の調整幅を複数に分割することにより調整幅を小さくするように変更する制御を行うように構成する。これにより、所定の閾値に基づいて、ユーザの設定頻度が高い音量値の近傍において隣接する音量値間の調整幅を小さくして、ユーザの設定頻度が高い音量値の近傍の音量値をより容易に微調整可能にすることができる。
【００６６】
第２実施形態では、上記のように、制御部２６０を、複数箇所において、隣接する音量値間の調整幅を複数に分割することにより調整幅を小さくするように変更する制御を行うように構成する。これにより、ユーザの設定頻度が高い音量値が複数存在する場合でも、ユーザの設定頻度が高い複数の音量値の近傍において隣接する音量値間の調整幅を小さくして、ユーザの設定頻度が高い音量値の近傍の音量値をより容易に微調整可能にすることができる。
【００６７】
なお、第２実施形態のその他の効果は、上記第１実施形態と同様である。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記第１および第２実施形態では、本発明の音量調整機能を有する電子機器の一例としてのＴＶに本発明を適用する例を示したが、本発明はこれに限られない。本発明では、たとえば、ブルーレイディスクレコーダやスマートフォンなど、ＴＶ以外の音量調整機能を有する電子機器に本発明を適用してもよい。また、本発明では、ブルーレイディスクレコーダなどの音量調整機能を有する電子機器にＴＶを接続してＴＶに出力される音量を変更し、その結果、ＴＶの音量値が微調整されるように構成してもよい。
【００７０】
上記第１実施形態では、設定の回数が所定の閾値よりも大きく、かつ、最大である音量値を最多音量値として決定する例を示したが、本発明はこれに限られない。本発明では、所定の閾値を考慮せずに、設定の回数が最大である音量値を最多音量値として決定してもよい。
【００７１】
上記第１実施形態では、設定の回数が所定の閾値よりも大きく、かつ、最大である最多音量値が１つである例を示したが、本発明はこれに限られない。本発明では、設定の回数が所定の閾値よりも大きく、かつ、最大である最多音量値が２つ以上あってもよい。
【００７２】
上記第１および第２実施形態では、音量値の調整幅を４つに分割する例を示したが、本発明はこれに限られない。本発明では、２つ、３つまたは５つ以上に音量値の調整幅を分割するようにしてもよい。
【００７３】
上記第１および第２実施形態では、所定期間として１カ月、変更された音量値間の調整幅が使用されなかった場合には、変更された音量値間の調整幅を初期状態に戻す例を示したが、本発明はこれに限られない。本発明では、１カ月未満または１カ月よりも長い期間、変更された音量値間の調整幅が使用されなかった場合に、変更された音量値間の調整幅を初期状態に戻してもよい。また、本発明では、変更された音量値間の調整幅が所定期間使用されなかった場合でも、変更された音量値間の調整幅を初期状態に戻さなくてもよい。
【００７４】
上記第１および第２実施形態では、記憶された設定履歴情報が所定期間経過したことに基づいて、音量値の設定履歴が記憶されてから経過時間が長いものから順に設定履歴情報を削除する例を示したが、本発明はこれに限られない。本発明では、記憶された設定履歴情報が所定の累積数（たとえば、１００回）を超過したことに基づいて、音量値の設定履歴が記憶されてから経過時間が長いものから順に設定履歴情報を削除してもよい。
【００７５】
上記第１および第２実施形態では、電源オン状態にされる際に、音量値２０（最多音量値）に設定された状態で電源オン状態にする例を示したが、本発明はこれに限られない。本発明では、電源オン状態にされる際に、電源オフ時に設定されていた音量値に設定された状態で電源オン状態にしてもよい。
【００７６】
上記第１および第２実施形態では、本発明の設定の頻度の一例として、設定回数に基づく頻度を示したが、本発明はこれに限られない。本発明では、たとえば、設定時間に基づく頻度など、設定回数以外に基づく頻度であってもよい。
【００７７】
上記第１実施形態では、設定の回数が最大である音量値２０（最多音量値）と、音量値２０の前後の音量値のうちの設定回数が大きい方の音量値である音量値２１（隣接音量値）との間の調整幅を小さくするように変更する例を示したが、本発明はこれに限られない。本発明では、図８に示す第１実施形態の変形例のように、最多音量値の前後の音量値の設定回数が同じ場合には、最多音量値の前後のそれぞれの音量値のさらに前後の音量値に基づいて調整幅を小さくしてもよい。
【００７８】
具体的には、図８に示すように、最多音量値（たとえば、音量値２０）の前後の音量値（音量値１９および２１）の設定回数が同じ場合には、最多音量値の前（小さい）の音量値（音量値１９）よりさらに前の音量値（音量値１８）の設定回数と、最多音量値の後ろ（大きい）音量値（音量値２１）よりさらに後ろ音量値（音量値２２）の設定回数とが比較される。そして、比較された音量値のうち大きい設定回数を有する音量値（音量値２２）側にある音量値（音量値２１）と、最多音量値（音量値２０）との間の調整幅を小さくしてもよい。また、本発明では、最多音量値の前後の音量値の設定回数が同じ場合には、最多音量値の前後の音量値のうち設定回数がより直近に設定された音量値と、設定の回数が最大である最多音量値との間の調整幅を小さくしてもよい。また、本発明では、最多音量値の前後の音量値の設定回数が同じ場合には、最多音量値（たとえば、音量値２０）および最多音量値の前の音量値（音量値１９）の中間の音量値（音量値１９．５）と、最多音量値および最多音量値の後ろの音量値（音量値２１）の中間の音量値（音量値２０．５）との間の調整幅を小さくしてもよい。
【００７９】
上記第２実施形態では、所定の閾値（たとえば、設定回数８回）よりも大きい設定回数を有する隣接する音量値間の調整幅を小さくする例を示したが、本発明はこれに限られない。本発明では、図９に示す変形例のように、設定履歴情報４１０に示すように、たとえば、第１閾値としての所定の閾値（たとえば、設定回数８回）よりも大きい設定回数を有する隣接する音量値間の調整幅を小さくし、かつ、第１閾値よりも小さい第２閾値（たとえば、設定回数２回）よりも大きい設定回数を有する隣接する音量値間の調整幅を小さくしてもよい。具体的には、まず、第１閾値よりも大きい設定回数を有する音量値間に新たに音量値（音量値２０．２５、音量値２０．５および音量値２０．７５）が設けられる。この状態で、音量値２０．２５、音量値２０．５または音量値２０．７５に音量値が切り替えられた場合には、切り替えられた音量値の小数第１位を四捨五入せずに切り替えられた音量値の設定回数が記憶される。そして、最多音量値、隣接音量値および新たに設けられた音量値のうち、第２閾値（第１閾値よりも小さい）よりも大きい設定回数を有する隣接する音量値（音量値２０および音量値２０．２５）間に、さらに新たな音量値（音量値２０．０６２５、音量値２０．１２５および音量値２０．１８７５）が設けられる。
【００８０】
上記実施形態では、説明の便宜上、本発明の制御部の処理を処理フローに沿って順番に処理を行うフロー駆動型のフローチャートを用いて説明したが、本発明はこれに限られない。本発明では、制御部の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８１】
５  記憶部
６、２６０  制御部
１００、２００  ＴＶ（音量調整機能を有する電子機器）
１１０、２１０、３１０、４１０  設定履歴情報
【図１】
2014140124.tif 000003
【図２】
2014140124.tif 000004
【図３】
2014140124.tif 000005
【図４】
2014140124.tif 000006
【図５】
2014140124.tif 000007
【図６】
2014140124.tif 000008
【図７】
2014140124.tif 000009
【図８】
2014140124.tif 000010
【図９】
2014140124.tif 000011